(57)【要約】【課題】木造軸組構造に大きな外力が繰り返し作用しても、耐力壁の機能を低下させることなく、耐力壁に大きな力が多方向から作用しても筋かい端面が破損したり、筋かい自体が座屈したりや破断することなく、筋かいが横架材にめり込むのを防止する。【解決手段】左右の柱２、３、上側横架材４及び下側横架材５で形成される矩形の枠の対角線上に筋かい６を取り付けて形成される木造軸組構造の建築物の筋かい耐力壁１において、筋かい６が取り付けられる矩形の枠の上側の隅角部において、筋かい６の上端面と上側横架材４の下面が面接触し、筋かい６が取り付けられる矩形の枠の下側の隅角部において、筋かい６の下端面と下側横架材５の上面が面接触し、筋かい６の上端部６Ｂ及び又は下端部６Ｃを、上側横架材４又は下側横架材５より縦弾性係数が小さい第１の低弾性係数部材で構成した筋かい耐力壁１。【選択図】図１
2020133271.tif 000002
【特許請求の範囲】
【請求項１】
左右の柱、上側横架材及び下側横架材で形成される矩形の枠の対角線上に筋かいを取り付けて形成される木造軸組構造の建築物の筋かい耐力壁において、
前記筋かいが取り付けられる前記矩形の枠の上側の隅角部において、前記筋かいの上端面と前記上側横架材の下面が面接触し、
前記筋かいが取り付けられる前記矩形の枠の下側の隅角部において、前記筋かいの下端面と前記下側横架材の上面が面接触し、
前記筋かいの上端部及び又は下端部を、前記上側横架材又は前記下側横架材より縦弾性係数が小さい第１の低弾性係数部材で構成したこと
を特徴とする筋かい耐力壁。
【請求項２】
前記第１の低弾性部材は、積層ゴム又はプラスチックであることを特徴とする請求項１記載の筋かい耐力壁。
【請求項３】
左右の柱、上側横架材及び下側横架材で形成される矩形の枠の対角線上に筋かいを取り付けて形成される木造軸組構造の建築物の筋かい耐力壁において、
前記筋かいが取り付けられる前記矩形の枠の上側の隅角部において、前記筋かいの上端面と前記上側横架材の下面が面接触し、
前記筋かいが取り付けられる前記矩形の枠の下側の隅角部において、前記筋かいの下端面と前記下側横架材の上面が面接触し、
前記上側横架材の前記筋かいの上端面が接触する上端面接触部及び又は前記下側横架材の前記筋かいの下端面が接触する下端面接触部を、前記筋かいより縦弾性係数が小さい第２の低弾性係数部材で構成したこと
を特徴とする筋かい耐力壁。
【請求項４】
前記第２の低弾性部材は、積層ゴム又はプラスチックであることを特徴とする請求項３記載の筋かい耐力壁。
【発明の詳細な説明】
【技術分野】
【０００１】
本発明は、木造軸組構造の建築物において、柱と横架材を組み付けた骨組みに筋かいを取り付けて形成される筋かい耐力壁に関するものである。
【背景技術】
【０００２】
木造軸組構造の建築物においては、水平方向に配置された木製の横架材（梁、土台等）に木製の柱を鉛直方向に組み付けて骨組みが形成され、筋かいが入っている耐力壁が適宜取り付けられ、地震や強風よる揺れの防止が図られている。
筋かいは、一般的に、隣り合う横架材と柱で形成される矩形の枠の対角線上に取り付けられるものであり、木製のものが多く使用されるが、木製の筋かいは、縦長の角材を上記矩形の枠の対角線上に配置し、その隅角部において、両端部分が横架材と柱に接触するように直角に切断されて取り付けられる。
ところで、地震や強風等により筋かいに大きな外力が作用すると、筋かいが大きく変形し、その両端面が接触している横架材や柱（特に横架材）の面を強く押し付け、筋かいの端面が横架材等にめり込み、横架材が損傷する場合がある。
横架材等が損傷すると、耐力壁部分が変形しやすくなってその強度が低下し、筋かいを入れた耐力壁を取り付けているにもかかわらず、地震や強風に建物が耐えられないという問題が生ずる。
このため、筋かいが横架材等にめり込むことを防止するため、種々の提案がなされている。
【０００３】
例えば、特許文献１（特開平１０−７２８６８号公報）には、緊結金具が、固定板の外面を、柱の側面の一側半部と横架材の側面の一側半部に当接した状態で所要のボルト・ナットにより、上記柱と横架材とが区画形成する直角な隅角部に固定設置され、その固定板に張設された取付け壁が上記柱と横架材の中心線上に位置し、筋交いが、その端部の斜切木口面を上記緊結金具の固定板の内面に当接させるとともに、その端部の一方の側面を上記取付け壁に当接させた状態において該取付け壁にボルト・ナットで緊締されている筋交い緊結構造が開示されている。
しかしながら、特許文献１では、筋交いと柱、横架材の間に緊結金具の固定板を介在させ、筋交いの端部の斜切木口面を固定板の内面に当接させていることから、柱と横架材からなる骨組みに大きな外力が作用した場合、筋かいが横架材にめり込まない（食い込まない）分、筋かいに作用する軸力が大きくなって筋かいの変形が大きくなり、固定板と当接している筋かいの端部が破損したり、筋かい自体が座屈したり破断したりする等の問題が生ずる。
【０００４】
この点、特許文献２（特開２００２−２４２４７３号公報）には、横架材と柱とが形成する方形の壁体骨組の対角線の位置に筋交いを配置し、筋交いの斜切木口面と上記横架材との間に緩衝装置を介在させた筋交い緩衝架設構造が開示されている。
しかしながら、特許文献２の緩衝装置は、板ばね等のばね部材からなるものであり、一定の方向から作用する外力に対してしか弾性変形せず（特許文献２の板ばねからなる緩衝装置では鉛直方向から作用する外力に対してしか弾性変形しない）、多方向から外力が作用する耐力壁に対しては所定の弾性変形をせず、筋交いを破損、座屈、破断等させる場合が生ずる。
その上、特許文献２の緩衝装置では、筋交いの斜切木口面又は土台と緩衝装置（ばね部材）が線接触に近い状態で接触し、両者の接触面積が小さいことから、壁体骨組に外力が作用した場合、緩衝装置から筋交いの斜切木口面又は土台に作用する力が接触部分に集中して過大となり、筋交いの斜切木口面又は土台が破損するのみならず、筋交いが水平方向に滑りやすくなり、壁体骨組の変形を防止するという耐力壁の機能が低下するという問題が生ずる。特許文献２の緩衝装置（ばね部材）では、筋交いの斜切木口面と緩衝装置（ばね部材）とを釘で固定しているが、構造が複雑となって筋交いの取付けが煩雑となるのみならず、筋交いに大きな力が繰り返し作用すると釘の固定力が低下し、筋交いが水平方向に滑りやすくなり同様の問題が生ずる。
また、特許文献３（特開２０１４−９５２６０号公報）には、大きな揺れが木造構造に加わった場合でも、筋交いの移動に追随させることができ、筋交いの破損を抑制できることを課題として、柱に固定される柱側固定板部と、筋交いに固定される筋交い側固定板部とを設けると共に、柱側固定板部と筋交い側固定板部との間にスリットを形成することによって複数の柱側変形部を設けた筋交い金物が開示されている。
しかしながら、特許文献３の筋交い金物で柱と筋交いを固定した場合、大きな揺れが加わった場合、筋交い金物の柱側変形部が筋交いの移動に追随して変形し、筋交いが移動しやすくなり、筋交いの端面が接触している横架材の面を強く押し付け、筋かいが横架材にめり込むという問題が生ずる。
【先行技術文献】
【特許文献】
【０００５】
【特許文献１】特開平１０−７２８６８号公報
【特許文献２】特開２００２−２４２４７３号公報
【特許文献３】特開２０１４−９５２６０号公報
【発明の概要】
【発明が解決しようとする課題】
【０００６】
本発明が解決しようとする課題は、木造軸組構造の建築物において、柱と横架材で形成される矩形の枠の対角線上に筋かいを取り付けて耐力壁を形成するに際し、木造軸組構造に大きな外力が繰り返し作用しても、耐力壁の機能を低下させることなく、耐力壁に大きな力が多方向から作用しても筋かい端面が破損したり、筋かい自体が座屈したりや破断することなく、筋かいが横架材にめり込むのを防止することである。
【課題を解決するための手段】
【０００７】
請求項１の発明は、左右の柱、上側横架材及び下側横架材で形成される矩形の枠の対角線上に筋かいを取り付けて形成される木造軸組構造の建築物の筋かい耐力壁において、前記筋かいが取り付けられる前記矩形の枠の上側の隅角部において、前記筋かいの上端面と前記上側横架材の下面が面接触し、前記筋かいが取り付けられる前記矩形の枠の下側の隅角部において、前記筋かいの下端面と前記下側横架材の上面が面接触し、前記筋かいの上端部及び又は下端部を、前記上側横架材又は前記下側横架材より縦弾性係数が小さい第１の低弾性係数部材で構成した筋かい耐力壁を提供して、上記課題を解決するものである。
【０００８】
請求項２の発明は、前記第１の低弾性部材は、積層ゴム又はプラスチックである筋かい耐力壁を提供して、上記課題を解決するものである。
【０００９】
請求項３の発明は、左右の柱、上側横架材及び下側横架材で形成される矩形の枠の対角線上に筋かいを取り付けて形成される木造軸組構造の建築物の筋かい耐力壁において、前記筋かいが取り付けられる前記矩形の枠の上側の隅角部において、前記筋かいの上端面と前記上側横架材の下面が面接触し、前記筋かいが取り付けられる前記矩形の枠の下側の隅角部において、前記筋かいの下端面と前記下側横架材の上面が面接触し、前記上側横架材の前記筋かいの上端面が接触する上端面接触部及び又は前記下側横架材の前記筋かいの下端面が接触する下端面接触部を、前記筋かいより縦弾性係数が小さい第２の低弾性係数部材で構成した筋かい耐力壁を提供して、上記課題を解決するものである。
【００１０】
請求項４の発明は、前記第２の低弾性部材は、積層ゴム又はプラスチックである筋かい耐力壁を提供して、上記課題を解決するものである。
【発明の効果】
【００１１】
請求項１に記載の発明の筋かい耐力壁においては、木造軸組構造に大きな外力が繰り返し作用しても、耐力壁の機能を低下させることなく、耐力壁に大きな力が多方向から作用しても、筋かいの上端面と下端面の全面に力が作用し、筋かいの上端部及び又は下端部が弾性変形し、筋かい端面が破損したり、筋かい自体が座屈したりや破断することなく、筋かいが横架材にめり込むのを防止できるという効果を奏する。
【００１２】
請求項２に記載の発明は、請求項１の発明と同様の効果を奏する。
【００１３】
請求項３に記載の発明の筋かい耐力壁においては、木造軸組構造に大きな外力が繰り返し作用しても、耐力壁の機能を低下させることなく、耐力壁に大きな力が多方向から作用しても、上側横架材の上端面接触部と下側横架材の下端面接触部の全面に力が作用し、上端面接触部及び又は下端面接触部が弾性変形し、筋かい端面が破損したり、筋かい自体が座屈したりや破断することなく、筋かいが横架材にめり込むのを防止できるという効果を奏する。
【００１４】
請求項４に記載の発明は、請求項３の発明と同様の効果を奏する。
【図面の簡単な説明】
【００１５】
【図１】本発明の第１実施形態の筋かい耐力壁の骨組みの構成を示す斜視図である。
【図２】図１に示す筋かい耐力壁（骨組み）の正面図である。
【図３】図１に示す筋かい耐力壁（骨組み）の平面図である。
【図４】図１に示す筋かい耐力壁（骨組み）の背面図である。
【図５】筋かいの拡大分解斜視図である。
【図６】図２のＡ１−Ａ１拡大断面図及びＢ１−Ｂ１拡大断面図である。
【図７】本発明の第２実施形態の筋かい耐力壁の骨組みの構成を示す斜視図である。
【図８】図７に示す筋かい耐力壁（骨組み）の正面図である。
【図９】図７に示す筋かい耐力壁における上側横架材、下側横架材及び筋かいの拡大分解斜視図である。
【図１０】図８のＡ２−Ａ２拡大断面図及びＢ２−Ｂ２拡大断面図である。
【図１１】本発明の他の実施形態である筋かい耐力壁の正面図である。
【図１２】たすき掛け筋かいを使用した本発明の筋かい耐力壁の実施形態の骨組み構成を示す正面図である。
【図１３】筋かい、上側横架材、下側横架材に第１の低弾性係数部材、第２の低弾性係数部材を使用しない筋かい耐力壁に水平方向の外力が作用した場合の変形状態を説明する説明図である。
【図１４】筋かい耐力壁１に水平方向の外力が作用した場合の変形状態を説明する説明図である。
【図１５】筋かい耐力壁１１に水平方向の外力が作用した場合の変形状態を説明する説明図である。
【発明を実施するための形態】
【００１６】
［第１実施形態の筋かい耐力壁の構成］
図１は、本発明の第１実施形態の筋かい耐力壁の骨組みの構成を示す斜視図、図２は、図１に示す筋かい耐力壁（骨組み）の正面図、図３は、図１に示す筋かい耐力壁（骨組み）の平面図、図４は、図１に示す筋かい耐力壁（骨組み）の背面図、図５は、筋かいの拡大分解斜視図、図６は、図２のＡ１−Ａ１拡大断面図及びＢ１−Ｂ１拡大断面図である。
図中、１は筋かい耐力壁（骨組み）、２、３は柱、４は上側横架材、４ｓは下面、５は下側横架材、５ｕは上面、６は筋かい、６Ａは本体部、６Ｂは上端部、６Ｂｕは上端面、６Ｃは下端部、６Ｃｓは下端面、７、８は筋かい固定板である。
筋かい耐力壁１の骨組みは、左右の柱２、３、梁となる上側横架材４、土台となる下側横架材５、筋かい６から構成され、各部材は、筋かい６の上端部６Ｂと下端部６Ｃを除いて、木製の材料、例えば、ヒノキ（桧）、ヒバ（桧葉）、スギ（杉）等の木材が使用される。
この筋かい耐力壁１においては、水平方向（左右方向）に配置されて上下に位置する上側横架材４と下側横架材５の間に左右の柱２、３が組み付けられて矩形の枠（以下「壁枠」という。）が形成され、壁枠の対角線上に筋かい６が取り付けられる。
この場合、柱２、３の上下の面が上側横架材４の下面４ｓ、下側横架材５の上面５ｕと当接するようにして、柱２、３と上側横架材４、下側横架材５が金具やボルト等（図示せず）により固定される。
そして、壁枠の右上の隅角部と左下の隅角部の背面において、筋かい固定板７、８が、柱２、３、上側横架材４、下側横架材５及び筋かい６に跨って当てがわれてビス等（図示せず）より固定され、これにより、柱２、３、上側横架材４、下側横架材５に筋かい６が接合固定される。
なお、筋かい固定板７、８を使用せず、ボルトを筋かい６と柱２、３に挿通してナットで締め付けて、筋かい６と柱２、３を固定してもよく、さらに、ボルトを筋かい６と上側横架材４、下側横架材５に挿通してナットで締め付けて、筋かい６と上側横架材４、下側横架材５固定してもよく、また、筋かい６と柱２、３、上側横架材４、下側横架材５を固定しなくてもよく、その場合の筋かい耐力壁１は、筋かい６を圧縮する方向に外力が作用するときのみの耐力壁となる。
【００１７】
筋かい６は、図５等に示すように、本体部６Ａ、上端部６Ｂ及び下端部６Ｃから構成され、本体部６Ａの上面、下面に上端部６Ｂ、下端部６Ｃが接着剤等により固定され、全体として、上部と下部が長手方向の軸線に対して斜め切りされた形状となって直交する端面が形成され、上端部６Ｂの上面が筋かい６の上端面６Ｂｕとなり、下端部６Ｃの下面が筋かい６の下端面６Ｃｓとなっている。
上端部６Ｂと下端部６Ｃは、共に上面と下面が平行で正面と背面も平行な扁平四角柱形状であり、本実施形態においては、上端部６Ｂと下端部６Ｃの形状、大きさは同じとなっている。
そして、壁枠の上側の隅角部（図では右上の隅角部）において、筋かい６の上端面６Ｂｕと上側横架材４の下面４ｓが面接触し、右側端面（上端面６Ｂｕに垂直な端面）が柱３の左側面に当接し、壁枠の下側の隅角部（図では左下の隅角部）において、下端面６Ｃｓと下側横架材５の上面５ｕが面接触し、左側端面（下端面６Ｃｓに垂直な端面）が柱２の右側面に当接するようにして、筋かい６が壁枠に取り付けられる。
【００１８】
［第１の低弾性係数部材］
筋かい６の上端部６Ｂと下端部６Ｃは、上側横架材４又は下側横架材５より縦弾性係数が小さい第１の低弾性係数部材が使用される。
上側横架材４と下側横架材５に、ヒノキ（桧）、ヒバ（桧葉）、スギ（杉）、クロマツ（黒松）、アカマツ（赤松）等の木材を使用した場合、その縦弾性係数は、７〜１３ＧＰａ（ギガパスカル）であり、第１の低弾性係数部材には、縦弾性係数が０．１〜７ＧＰａの部材、例えば、積層ゴム（薄いゴムと鋼板を交互に積層して貼り合わせたもの）、ポリエチレン、ポリプロピレン、ポリスチレン、ポリガーボネード、塩化ビニル樹脂、ポリアミド（ナイロン樹脂）等のプラスチックが使用される。
この場合、筋交い６の本体部６Ａに縦９０ｍｍ、横９０ｍｍ、長さ３２０ｍｍの角材を使用した場合、上端部６Ｂと下端部６Ｃの厚み（本体部６Ａの長手方向の厚み）は、おおよそ１０〜５０ｍｍとなる。    
また、本実施形態では、筋かい６の上端部６Ｂと下端部６Ｃの両方が、第１の低弾性係数部材となっているが、本発明の筋かい耐力壁においては、筋かい６の上端部６Ｂと下端部６Ｃのいずれか一方のみが第１の低弾性係数部材であってもよく、その場合、第１の低弾性係数部材でない方の上端部６Ｂまたは下端部６Ｃは、本体部６Ａと同じ部材となる。
【００１９】
［第２実施形態の筋かい耐力壁の構成］
図７は、本発明の第２実施形態の筋かい耐力壁の骨組みの構成を示す斜視図、図８は、図７に示す筋かい耐力壁（骨組み）の正面図、図９は、図７に示す筋かい耐力壁における上側横架材、下側横架材及び筋かいの拡大分解斜視図、図１０は、図８のＡ２−Ａ２拡大断面図及びＢ２−Ｂ２拡大断面図である。
図中、１１は筋かい耐力壁（骨組み）、１２、１３は柱、１４は上側横架材、１４Ａは本体部、１４Ｂは上端面接触部、１４Ｂｓ、１４ｓは下面、１４ｋは切欠き、１５は下側横架材、１５Ａは本体部、１５Ｂは下端面接触部、１５Ｂｕ、１５ｕは上面、１５ｋは切欠き、１６は筋かい、１７、１８は筋かい固定板である。
筋かい耐力壁１１の骨組みは、筋かい耐力壁１の骨組みと同様であり、左右の柱１２、１３、梁となる上側横架材１４、土台となる下側横架材１５、筋かい１６から構成され、各部材は、上側横架材１４の上端面接触部１４Ｂと下側横架材１５の下端面接触部１５Ｂを除いて、木製の材料、例えば、ヒノキ（桧）、ヒバ（桧葉）、スギ（杉）等の木材が使用される。
この筋かい耐力壁１１においては、筋かい耐力壁１と同様に、左右の柱１２、１３と上側横架材１４、下側横架材１５で壁枠が形成され、壁枠の対角線上に筋かい１６が取り付けられる。
また、筋かい耐力壁１１において、柱１２、１３を上側横架材１４、下側横架材１５により取り付けて固定する手段は、筋かい耐力壁１と同じであり、筋かい固定板１７、１８により、柱１２、３３、上側横架材１４、下側横架材１５に筋かい１６が接合固定される点も筋かい耐力壁１と同じである。
なお、筋かい耐力壁１と同様に、筋かい固定板１７、１８を使用せず、ボルトを筋かい１６と柱１２、１３に挿通してナットで締め付けて、筋かい１６と柱１２、１３を固定してもよく、さらに、ボルトを筋かい１６と上側横架材１４、下側横架材１５に挿通してナットで締め付けて、筋かい１６と上側横架材１４、下側横架材１５を固定してもよく、また、筋かい１６と柱１２、１３、上側横架材１４、下側横架材１５を固定しなくてもよく、その場合の筋かい耐力壁１１は、筋かい１６を圧縮する方向に外力が作用するときのみの耐力壁となる。
【００２０】
上側横架材１４は、図９等に示すように、本体部１４Ａと、筋かい１６の上端面１６ｕが接触する上端面接触部１４Ｂから構成され、上端面接触部１４Ｂは、本体部１４Ａに設けられた切欠き１４ｋに嵌め込まれて接着剤等により本体部１４Ａに固定され、その下面１４Ｂｓは上側横架材１４の下面１４ｓの一部となっている。
下側横架材１５も、上側横架材１４と同様に、本体部１５Ａと、筋かい１６の下端面１６ｓが接触する下端面接触部１５Ｂから構成され、下端面接触部１５Ｂは、本体部１５Ａに設けられた切欠き１５ｋに嵌め込まれて接着剤等により本体部１５Ａに固定され、その上面１５Ｂｕは下側横架材１５の上面１５ｕの一部となっている。
上端面接触部１４Ｂと下端面接触部１５Ｂは、平行な直方体形状であり、本実施形態においては、上端面接触部１４Ｂと下端面接触部１５Ｂの形状、大きさは同じとなっている。
筋かい１６は、上部と下部が長手方向の軸線に対して斜め切りされた形状となって直交する端面が形成されている。
そして、壁枠の上側の隅角部（図では右上の隅角部）において、筋かい１６の上端面１６ｕと、上側横架材１４の上端面接触部１４Ｂの下面１４Ｂｕ（下面１４ｓ）が面接触し、右側端面（上端面１６ｕに垂直な端面）が柱１３の左側面に当接し、壁枠の下側の隅角部（図では左下の隅角部）において、筋かい１６の下端面１６ｓと、下側横架材１５の下端面接触部１５Ｂの上面１５Ｂｕ（上面１５ｕ）が面接触し、左側端面（下端面１６ｓに垂直な端面）が柱１２の右側面に当接するようにして、筋かい１６が壁枠に取り付けられる。
【００２１】
［第２の低弾性係数部材］
上側横架材１４の上端面接触部１４Ｂと下側横架材１５の下端面接触部１５Ｂは、筋かい１６より縦弾性係数が小さい第２の低弾性係数部材が使用される。
この第２の低弾性係数部材は、第１の低弾性係数部材と同じ部材であってもよく、第１の低弾性係数部材と異なる部材であってもよい。
筋かい１６に、ヒノキ（桧）、ヒバ（桧葉）、スギ（杉）、クロマツ（黒松）、アカマツ（赤松）等の木材を使用した場合、その縦弾性係数は、７〜１３ＧＰａ（ギガパスカル）であり、第２の低弾性係数部材には、第１の低弾性係数部材と同様に、縦弾性係数が０．１〜７ＧＰａの部材、例えば、積層ゴム（薄いゴムと鋼板を交互に積層して貼り合わせたもの）、ポリエチレン、ポリプロピレン、ポリスチレン、ポリガーボネード、塩化ビニル樹脂、ポリアミド（ナイロン樹脂）等のプラスチックが使用される。
この場合、筋交い１６に縦９０ｍｍ、横９０ｍｍ、長さ３２０ｍｍの角材を使用した場合、上端面接触部１４Ｂと下端面接触部１５Ｂの鉛直方向の厚みは、おおよそ１０〜５０ｍｍとなる。    
また、本実施形態では、上側横架材１４の上端面接触部１４Ｂと下側横架材１５の下端面接触部１５Ｂの両方が、第２の低弾性係数部材となっているが、本発明の筋かい耐力壁においては、上端面接触部１４Ｂと下端面接触部１５Ｂのいずれか一方のみが第２の低弾性係数部材であってもよく、その場合、第２の低弾性係数部材でない方の上端面接触部１４Ｂまたは下端面接触部１５Ｂは、上側横架材１４または下側横架材１５と同じ部材となる。
【００２２】
［他の実施形態の筋かい耐力壁］
図１１は、本発明の他の実施形態である筋かい耐力壁の正面図であり、図中、２１、３１は筋かい耐力壁（骨組み）、２２、２３、３２、３３は柱、２４、３４は上側横架材、２４ｓ、３４ｓは下面、３４Ａは本体部、３４Ｂは上端面接触部、２５、３５は下側横架材、２５Ａは本体部、２５Ｂは下端面接触部、２５ｕ，３５ｕは上面、２６、３６は筋かい、２６Ａ、３６Ａは本体部、２６Ｂは上端部、３６Ｃは下端部である。
図１１（ａ）に示す筋かい耐力壁２１においては、筋かい耐力壁１、１１と同様に、左右の柱２２、２３と上側横架材２４、下側横架材２５で壁枠が形成され、壁枠の対角線上に筋かい２６が取り付けられている。
上側横架材２４は、筋かい耐力壁１１の上側横架材１４と異なり第２の低弾性係数部材からなる上端面接触部はなく、本体部１４Ａと同じ部材からなっている。
下側横架材２５は、筋かい耐力壁１１の下側横架材１５と同様に、本体部２５Ａと、筋かい２６の下端面が接触する下端面接触部２５Ｂから構成され、下端面接触部２５Ｂには第２の低弾性係数部材が使用され、下端面接触部２５Ｂの上面は下側横架材２５の上面２５ｕの一部となっている。
筋かい２６は、筋かい耐力壁１の筋かい６から下端部６Ｃを除いた構成となっている。
すなわち、筋かい２６は、本体部２６Ａと上端部２６Ｂから構成され、上端部２６Ｂには第１の低弾性係数部材が使用され、上端部２６Ｂの上面が、筋かい２６の上端面となって上側横架材２４の下面２４ｓと面接触し、筋かい２６の下端面が、下側横架材２５の下端面接触部２５Ｂの上面と面接触している。
図１１（ｂ）に示す筋かい耐力壁３１においては、筋かい耐力壁１、１１と同様に、左右の柱３２、３３と上側横架材３４、下側横架材３５で壁枠が形成され、壁枠の対角線上に筋かい３６が取り付けられている。
上側横架材３４は、筋かい耐力壁１１の上側横架材２４と同様に、本体部３４Ａと、筋かい３６の上端面が接触する上端面接触部３４Ｂから構成され、上端面接触部３４Ｂには第２の低弾性係数部材が使用され、上端面接触部３４Ｂの下面は上側横架材３４の下面３４ｓの一部となっている。
下側横架材３５は、筋かい耐力壁１１の下側横架材１５と異なり第２の低弾性係数部材からなる下端面接触部はなく、本体部１５Ａと同じ部材からなっている。
筋かい３６は、筋かい耐力壁１の筋かい６から上端部６Ｂを除いた構成となっている。
すなわち、筋かい３６は、本体部３６Ａと下端部３６Ｃから構成され、下端部３６Ｃには第１の低弾性係数部材が使用され、下端部３６Ｃの下面が、筋かい３６の下端面となって下側横架材３５の上面３５ｕと面接触し、筋かい３６の上端面が、上側横架材３４の上端面接触部３５Ｂの下面と面接触している。
また、本発明の筋かい耐力壁は、第１実施形態の筋かい耐力壁１において、上側横架材４と下側横架材５に代えて、第２実施形態の筋かい耐力壁１１の上側横架材１４と下側横架材１５を使用したものであってよい。
なお、図１１に示す筋かい耐力壁２１、３１において、筋かい耐力壁１（１１）と同様に壁枠の隅角部に筋かい固定板７、８（１７、１８）を設けてもよい。
【００２３】
本発明の筋かい耐力壁における筋かいは、上記のような壁枠の一方の対角線のみに筋かいが取り付けられた片筋かいに限定されるものではなく、壁枠の両方の対角線に筋かいが取り付けられたたすき掛け筋かいであってもよい。
図１２は、たすき掛け筋かいを使用した本発明の筋かい耐力壁の実施形態の骨組み構成を示す正面図であり、図中、４１、５１は筋かい耐力壁（骨組み）、４２、４３、５２、５３は柱、４４、５４は上側横架材、４４ｓ、５４ｓは下面、５４Ａは本体部、５４Ｂは第１上端面接触部、５４Ｃは第２上端面接触部、４５、５５は下側横架材、５５Ａは本体部、５５Ｂは第１下端面接触部、５５Ｃは第２下端面接触部、４５ｕ，５５ｕは上面、４６、５６は第１筋かい、４７、５７は第２筋かい、４６Ａ、４７Ａは本体部、４６Ｂ、４７Ｂは上端部、４６Ｃ、４７Ｃは下端部である。
図１２（ａ）に示す筋かい耐力壁４１においては、左右の柱４２、４３と上側横架材４４、下側横架材４５で壁枠が形成され、壁枠の一方の対角線上に第１筋かい４６が取り付けられ、壁枠の他方の対角線上に第２筋かい４７が取り付けられているが、第１筋かい４６と第２筋かい４７は、奥行き方向の厚みが図１の筋かい６の半分となっており、同じ壁枠に第１筋かい４６と第２筋かい４７が干渉せずに交差して取り付けられ、いわゆるたすき掛け筋かいを形成している。
第１筋かい４６は、図１の筋かい６と同様に、本体部４６Ａ、上端部４６Ｂ及び下端部４６Ｃから構成され、本体部６Ａに上端部６Ｂ、下端部６Ｃが接着剤等により固定され、全体として、上部と下部が長手方向の軸線に対して斜め切りされた形状となって直交する端面が形成され、同様に、第２筋かい４７も、本体部４７Ａ、上端部４７Ｂ及び下端部４７Ｃから構成され、全体として直交する端面が形成されている。
そして、第１筋かい４６の上端部４６Ｂと下端部４６Ｃは、第１の低弾性係数部材からなり、第２筋かい４７の上端部４７Ｂと下端部４７Ｃも、第１の低弾性係数部材からなり、第１筋かい４６（上端部４６Ｂ）と第２筋かい４７（上端部４７Ｂ）の上端面と上側横架材４４の下面４４ｓが面接触し、第１筋かい４６（下端部４６Ｃ）と第２筋かい４７（下端部４７Ｃ）の下端面と下側横架材４５の上面４５ｕが面接触している。
【００２４】
図１２（ｂ）に示す筋かい耐力壁５１においては、同図（ａ）の筋かい耐力壁４１と同様に、左右の柱５２、５３と上側横架材５４、下側横架材５５で壁枠が形成され、壁枠の一方の対角線上に第１筋かい５６が取り付けられ、壁枠の他方の対角線上に第２筋かい５７が取り付けられているが、第１筋かい５６と第２筋かい５７は、奥行き方向の厚みが図７の筋かい１６の半分となっており、同じ壁枠に第１筋かい５６と第２筋かい５７が干渉せずに交差して取り付けられ、いわゆるたすき掛け筋かいを形成している。
上側横架材５４は、本体部５４Ａと、第１筋かい５６の上端面が接触する第１上端面接触部５４Ｂと、第２筋かい５７の上端面が接触する第２上端面接触部５４Ｃから構成され、第１上端面接触部５４Ｂと第２上端面接触部５４Ｃは、本体部５４Ａに設けられた切欠きに嵌め込まれて接着剤等により本体部５４Ａに固定されている。
下側横架材５５も、上側横架材５４と同様に、本体部５５Ａと、第１筋かい５６の下端面が接触する第１下端面接触部５５Ｂと第２筋かい５７の下端面が接触する第２下端面接触部５５Ｃから構成され、第１下端面接触部５５Ｂと第２下端面接触部５５Ｃは、本体部５５Ａに設けられた切欠きに嵌め込まれて接着剤等により本体部５５Ａに固定されている。
そして、上側横架材５４の第１上端面接触部５４Ｂと第２上端面接触部５４Ｃは、第２の低弾性係数部材からなり、下側横架材５５の第１下端面接触部５５Ｂと第２下端面接触部５５Ｃも、第２の低弾性係数部材からなり、第１筋かい５６と第２筋かい５７の上端面と、上側横架材５４の下面５４ｓ（第１上端面接触部５４Ｂと第２上端面接触部５４Ｃ）が面接触し、第１筋かい５６と第２筋かい５７の下端面と、下側横架材５５の上面５５ｕ（第１下端面接触部５５Ｂと第２下端面接触部５５Ｃ）が面接触している。
【００２５】
［筋かい耐力壁の作用］
次に、第１実施形態の筋かい耐力壁１、第２実施形態の筋かい耐力壁１１の作用について、第１の低弾性係数部材または第２の低弾性係数部材を使用しない筋かい耐力壁と比較して説明する。
図１３は、筋かい、上側横架材、下側横架材に第１の低弾性係数部材、第２の低弾性係数部材を使用しない筋かい耐力壁に水平方向の外力が作用した場合の変形状態を説明する説明図であり、同図（ａ）は、筋かい取付部分の変形前の拡大正面図、同図（ｂ）は、筋かい取付部分の変形後の拡大正面図である。
図中、１０１は筋かい耐力壁（骨組み）、１０２、１０３は柱、１０４は上側横架材、１０４ｓは下面、１０５は下側横架材、１０５ｕは上面、１０６は筋かい、１０６ｕは上端面、１０６ｓは下端面である。
図１３（ａ）に示すように、筋かい耐力壁１０１においては、筋かい耐力壁１、１１と同様に、左右の柱１０２、１０３と上側横架材１０４、下側横架材１０５で壁枠が形成され、壁枠の対角線上に筋かい１０６が取り付けられている。
筋かい１０６は、筋かい耐力壁１１の筋かい１６と同様に、上部と下部が長手方向の軸線に対して斜め切りされた形状となって直交する端面が形成され、上端面１０６が上側横架材１０４の下面１０４ｓと面接触し、下端面１０６ｓが下側横架材１０５の上面１０５ｕと面接触している。
【００２６】
今、筋かい耐力壁１０１に水平方向の外力Ｗ（衝撃荷重を含む）が作用すると、土台となる下側横架材１０５は動かず、上側横架材１０４が矢印Ａｒの方向に距離Δだけ移動して、耐力壁１０１が変形する。図１３（ｂ）は、変形した状態の耐力壁１０１を表しており、図において、変形前の柱１０３、上側横架材１０４、筋かい１０６を二点鎖線で示す。
この筋かい耐力壁１０１の変形により、筋かい１０６には、圧縮荷重が作用して軸方向（長手方向）に圧縮され、筋かい１０６の上端面１０６ｕが、上側横架材１０４の下面１０４ｓを押し付け、筋かい１０６の下端面１０６ｓが、下側横架材１０５の上面１０５ｕを押し付ける。
この場合、筋かい１０６はすべて木材からなり、その縦弾性係数は比較的大きいことから圧縮ひずみは小さく、筋かい１０６の上端面１０６ｕと下端面１０６ｓが、上側横架材１０４の下面１０４ｓと下側横架材１０５の上面１０５ｕを押し付ける力Ｆは大きくなり、上端面１０６ｕと下端面１０６ｓの押し付けによる上側横架材１０４と下側横架材１０５のへこみ（変形）が、上側横架材１０４または下側横架材１０５の弾性範囲を超えて塑性変形となり、筋かい１０６の上端面１０６ｕと下端面１０６ｓが、上側横架材１０４または下側横架材１０５にめり込んだ場合、筋かい耐力壁１０１に作用した外力Ｗが解除されても、上側横架材１０４または下側横架材１０５のへこみ（変形）が残って、上側横架材１０４または下側横架材１０５が損傷し、筋かい耐力壁１０１の強度（耐力）が低下する。
【００２７】
次に、筋かい耐力壁１と筋かい耐力壁１１に外力が作用した場合の変形について説明する。
図１４は、筋かい耐力壁１に水平方向の外力が作用した場合の変形状態を説明する説明図であり、同図（ａ）は、筋かい取付部分の変形前の拡大正面図、同図（ｂ）は、筋かい取付部分の変形後の拡大正面図である。
今、筋かい耐力壁１に水平方向の外力Ｗ（衝撃荷重を含む）が作用すると、筋かい耐力壁１０１と同様に、土台となる下側横架材５は動かず、上側横架材４が矢印Ａｒの方向に距離δ１だけ移動して、耐力壁１が変形する。図１４（ｂ）は、変形した状態の耐力壁１を表しており、図において、変形前の柱３、上側横架材４、筋かい６を二点鎖線で示す。
この筋かい耐力壁１の変形により、筋かい耐力壁１０１の場合と同様に、筋かい６には、圧縮荷重が作用して軸方向（長手方向）に圧縮され、筋かい６の上端面６Ｂｕが上側横架材４の下面４ｓを押し付け、筋かい６の下端面６Ｃｓが下側横架材５の上面５ｕを押し付ける。
この場合、筋かい６の上端部６Ｂと下端部６Ｃは、木材からなる本体部６Ａより縦弾性係数が小さい第１の低弾性係数部材からなり、その圧縮ひずみが大きいことから、筋かい耐力壁１０１の筋かい１０６と異なり、上端部６Ｂと下端部６Ｃが大きく圧縮されて、筋かい６の上端面６Ｂｕと下端面６Ｃｓが、上側横架材４の下面４ｓと下側横架材５の上面５ｕを押し付ける力ｆ１は小さくなり、上端面６Ｂｕと下端面６Ｃｓの押し付けによる上側横架材４と下側横架材５のへこみ（変形）が弾性範囲を超えることはなく、すなわち、筋かい６の上端面６Ｂｕと下端面６Ｃｓは上側横架材４と下側横架材５にめり込まず、筋かい耐力壁１に作用した外力Ｗが解除されると、上側横架材４と下側横架材５のへこみ（変形）、が消失して元の状態に戻り、筋かい耐力壁１の強度（耐力）は低下せず、元の強度を維持する。
【００２８】
図１５は、筋かい耐力壁１１に水平方向の外力が作用した場合の変形状態を説明する説明図であり、同図（ａ）は、筋かい取付部分の変形前の拡大正面図、同図（ｂ）は、筋かい取付部分の変形後の拡大正面図である。
今、筋かい耐力壁１１に水平方向の外力Ｗ（衝撃荷重を含む）が作用すると、筋かい耐力壁１０１と同様に、土台となる下側横架材１５は動かず、上側横架材１４が矢印Ａｒの方向に距離δ２だけ移動して、耐力壁１１が変形する。図１５（ｂ）は、変形した状態の耐力壁１を表しており、図において、変形前の柱１３、上側横架材１４、筋かい１６を二点鎖線で示す。
この筋かい耐力壁１１の変形により、筋かい耐力壁１０１の場合と同様に、筋かい１６には、圧縮荷重が作用して軸方向（長手方向）に圧縮され、筋かい６の上端面１６ｕが上側横架材１４の上端面接触部１４Ｂの下面１４Ｂｓ（１４ｓ）を押し付け、筋かい１６の下端面１６ｓが下側横架材５の下端面接触部１５Ｂの上面１５Ｂｕ（１５ｕ）を押し付ける。
この場合、上側横架材１４の上端面接触部１４Ｂと下側横架材１５の下端面接触部１５Ｂは、木材からなる本体部１４Ａ、１５Ａより縦弾性係数が小さい第２の低弾性係数部材からなり、その圧縮ひずみが大きいことから、筋かい耐力壁１０１の上側横架材１０４、下側横架材１０５と異なり、上端面接触部１４Ｂと下端面接触部１５Ｂが大きく圧縮されて、筋かい１６の上端面１６ｕと下端面１６ｓが、上端面接触部１４Ｂの下面１４Ｂｓと下端面接触部１５Ｂの上面１５Ｂｕを押し付ける力ｆ２は小さくなり、筋かい１６の上端面１６ｕと下端面１６ｓの押し付けによる上側横架材１４の上端面接触部１４Ｂと下側横架材１５の下端面接触部１５Ｂのへこみ（変形）が弾性範囲を超えることはなく、すなわち、筋かい１６の上端面１６ｕと下端面１６ｓは上側横架材１４と下側横架材１５にめり込まず、筋かい耐力壁１１に作用した外力Ｗが解除されると、上側横架材１４の上端面接触部１４Ｂと下側横架材１５の下端面接触部１５Ｂのへこみ（変形）が消失して元の状態に戻り、筋かい耐力壁１１の強度（耐力）は低下せず、元の強度を維持する。
【００２９】
以上のように、筋かい耐力壁１においては、筋かい６の上端部６Ｂと下端部６Ｃに第１の低弾性係数部材が使用され、筋かい耐力壁１１においては、上側横架材１４の上端面接触部１４Ｂと下側横架材１５の下端面接触部１５Ｂに第２の低弾性係数部材が使用されていることから、筋かい耐力壁１、１１に大きな外力（衝撃力）が作用し、筋かい６、１６に大きな圧縮力が作用しても、筋かい６の上端部６Ｂと下端部６Ｃ、上側横架材１４の上端面接触部１４Ｂと下側横架材５の下端面接触部１５Ｂが弾性変形するため、筋かい６、１６が、上側横架材４、１４と下側横架材５、１５にめり込んで、筋かい耐力壁１１の強度（耐力）が低下することはない。
また、筋かい耐力壁１、１１に、多方向から大きな外力が作用し、筋かい６、１６の上端面と下端面が上側横架材４、１４と下側横架材５、１５を多方向に押し付けても、筋かい６、１６の上端面、下端面と上側横架材４、１４の下面、下側横架材５、１５の上面が面接触し、筋かい６の上端部６Ｂと下端部６Ｃ、上側横架材１４の上端面接触部１４Ｂと下側横架材１５の下端面接触部１５Ｂは、ブロック状の扁平四角柱形状であり、同じような弾性変形をするため、筋かい６、１６が、上側横架材４、１４と下側横架材５、１５にめり込んで、筋かい耐力壁１１の強度（耐力）が低下することもない。
【産業上の利用可能性】
【００３０】
本発明の筋かい耐力壁は、大きな外力が繰り返し作用しても、耐力壁の機能を低下させることなく、耐力壁に大きな力が多方向から作用しても筋かい端面が破損したり、筋かい自体が座屈したりや破断することなく、筋かいが横架材にめり込むのを防止でき、木造軸組構造の建築物に利用することができる。
【符号の説明】
【００３１】
１、１１、２１、３１、４１、５１、１０１  筋かい耐力壁（骨組み）
２、３、１２、１３、２２、２３、３２、３３、４２、４３、５２、５３、１０２、１０３  柱
４、１４、２４、３４、４４、５４、１０４  上側横架材
４ｓ、１４ｓ、１４Ｂｓ、２４ｓ、３４ｓ、４４ｓ、５４ｓ、１０４ｓ  下面
５、１５、２５、３５、４５、５５、１０５  下側横架材
５ｕ、１５ｕ、１５Ｂｕ、２５ｕ、３５ｕ、４５ｕ、５５ｕ、１０５ｕ  上面
６、１６、２６、３６、１０６  筋かい
６Ａ、４６Ａ、４７Ａ  本体部
６Ｂ、４６Ｂ、４７Ｂ  上端部
６Ｂｕ  上端面
６Ｃ、４６Ｃ、４７Ｃ  下端部
６Ｃｓ  下端面
７、８、１７、１８  筋かい固定板
１４Ａ、１５Ａ、５４Ａ、５５Ａ  本体部
１４Ｂ  上端面接触部
１４ｋ、１５ｋ  切欠き、
１５Ｂ  端面接触部
４６、５６  第１筋かい
４７、５７  第２筋かい
５４Ｂ  第１上端面接触部
５４Ｃ  第２上端面接触部
５５Ｂ  第１下端面接触部
５５Ｃ  第２下端面接触部
【図１】
2020133271.tif 000003
【図２】
2020133271.tif 000004
【図３】
2020133271.tif 000005
【図４】
2020133271.tif 000006
【図５】
2020133271.tif 000007
【図６】
2020133271.tif 000008
【図７】
2020133271.tif 000009
【図８】
2020133271.tif 000010
【図９】
2020133271.tif 000011
【図１０】
2020133271.tif 000012
【図１１】
2020133271.tif 000013
【図１２】
2020133271.tif 000014
【図１３】
2020133271.tif 000015
【図１４】
2020133271.tif 000016
【図１５】
2020133271.tif 000017